(57)【特許請求の範囲】
【請求項１】
天板部と底板部の間に一端から他端に向かって連続する中空部を少なくとも１つ備えるデッキ材の、小口面に当接して前記中空部を閉鎖する蓋部を有し、
この蓋部のデッキ材当接面に、この蓋部が前記中空部を閉鎖したとき、中空部内に入り込み、前記天板部の下面に対面するとともに、天板部を貫通してねじ込まれる抜け止めねじのねじ受け孔が設けられるねじ受け部と、前記中空部の側壁面に当接して少なくとも水平方向の蓋部の位置ずれを防止するズレ防止部とを含む突出部が突設されているデッキ材用小口キャップであって、
前記天板部の厚みと略同じか少し幅広帯状をした突出部非形成領域が、前記ねじ受け部の下側に前記蓋部の水平方向の全長にわたり前記蓋部のデッキ材当接面側に設けられていることを特徴とするデッキ材用小口キャップ。
【発明の詳細な説明】
【技術分野】
【０００１】
この発明は、バルコニーの床材等として用いられるデッキ材の小口キャップに関する。
【背景技術】
【０００２】
従来、バルコニーの床材等として、樹脂により成型したデッキ材が用いられている。このデッキ材は、重量低減等を目的として、一端から他端に向かって貫通する中空部を備えており、この中空部に水や埃が入り込むのを防ぐために、この中空部の開口を塞ぐ小口キャップが用いられている。この小口キャップをデッキ材に固定するために各種の方法が用いられているが、その１つとして、デッキ材を敷設施工する現場において、ねじにより固定する方法が有る。
【０００３】
例えば、特許文献１では、小口キャップの蓋部裏面に、デッキ材の両側面の外側に当接するねじ受け部（特許文献１では取付部と表記）が垂設されており、このねじ受け部の先端にねじ受け孔が形成されている。かかる場合には、小口キャップのねじ受け部がデッキ材の外側に配設されるため、デッキ材の側面にねじ孔を設ける位置を金尺等で測定することなく、小口キャップのねじ受け孔をガイドにしてデッキ材にねじ孔位置を墨付けすることが可能である。
【０００４】
ところが、デッキ材に小口キャップをねじ固定する前にデッキ材を床に敷き詰めるような場合には、デッキ材の側面でねじを固定することができない。一方、小口キャップのねじ受け部を天板側に設ければ、ねじ受け部がデッキ材上面に露出して段差が生じてねじ受け部がデッキ材上を歩く際の障害となる。したがって、従来の小口キャップは、必然的に、このねじ受け部が、デッキ材の中空部内に嵌り込み、デッキ材の天板部を下側から受けるように設けられる。
そのため、上記の小口キャップを用いる場合においては、デッキ材の天板部に設けられるねじ孔の位置を、金尺等で小口面や、側面からの距離を測定し、デッキ材の天板部の上面に墨付けするようになっている。
【先行技術文献】
【特許文献】
【０００５】
【特許文献１】特開２００９−９１７１７号公報
【発明の概要】
【発明が解決しようとする課題】
【０００６】
しかし、バルコニー等の敷設施工時には、他数枚のデッキ材を敷設することになるため、すべてのデッキ材について、ひとつひとつ金尺等でねじ孔の位置を測定して墨付けする作業は、たいへんな労力がかかる。
また、熟練を要さないと、正確にねじ孔位置を墨付けすることができない。
本発明は、上記課題に鑑みてなされたものであり、天板部に設けるねじ孔の位置を容易かつ正確に墨付けできるデッキ材用小口キャップの提供を目的とする。
【課題を解決するための手段】
【０００７】
上記課題を解決するためになされた本発明にかかるデッキ材用小口キャップは、天板部と底板部の間に一端から他端に向かって連続する中空部を少なくとも１つ備えるデッキ材の、小口面に当接して前記中空部を閉鎖する蓋部を有し、この蓋部のデッキ材当接面に、この蓋部が前記中空部を閉鎖したとき、中空部内に入り込み、前記天板部の下面に対面するとともに、天板部を貫通してねじ込まれる抜け止めねじのねじ受け孔が設けられるねじ受け部と、前記中空部の側壁面に当接して少なくとも水平方向の蓋部の位置ずれを防止するズレ防止部とを含む突出部が突設されているデッキ材用小口キャップであって、前記天板部の厚みと略同じか少し幅広帯状をした突出部非形成領域が、前記ねじ受け部の下側に前記蓋部の水平方向の全長にわたり前記蓋部のデッキ材当接面側に設けられていることを特徴とする。
【０００８】
このように、本発明に係るデッキ材用小口キャップは、デッキ材当接面のねじ受け部の下側に水平方向の全長にわたり天板部の厚みと略同じか少し幅広帯状をした、突出部を有しない突出部非形成領域を備えているので、この突出部非形成領域に天板部を挿入することができる。そして、天板部の小口面が小口キャップのデッキ材当接面に当接するまで、天板部を突出部非形成領域内に挿入すれば、ねじ受け部が天板部上側に配置されるとともに、ねじ受け部のねじ受け孔からデッキ材の小口面までの距離が、ねじ孔を設けるべき位置からデッキ材の小口面までの距離に一致する。したがって、ねじ受け孔をガイドにして、天板部の上面に設けるねじ孔の位置を容易かつ正確に墨付けすることが可能となる。
また、突出部非形成領域が、天板部の厚みと略同じかやや幅広であるため、突出部非形成領域に天板部を挿入して天板部にねじ孔を設ける際に、小口キャップがデッキ材に対して傾くことを抑制することができ、よりスムーズにねじ孔の位置を墨付けすることが可能となる。
【０００９】
また、ズレ防止部の少なくとも一部が、ねじ受け部が天板部上方に配置され、天板部が突出部非形成領域内に臨んだ状態で、少なくとも水平方向の蓋部の位置ずれを防止可能位置に設けられていることが好ましい。
こうすることで、小口キャップのねじ受け孔をガイドとして天板部にねじ孔位置の墨付け行う際に、小口キャップがデッキ材に対して水平方向にずれることを防止して、よりスムーズに墨付けを行うことが可能となる。
【００１０】
また、本発明にかかるデッキ材用小口キャップの固定方法は、本発明のデッキ材用小口キャップの、ねじ受け部のねじ受け孔を形成した状態で、ねじ受け部を天板部上方に配置し、蓋部のデッキ材当接面にデッキ材が当接するまで天板部を突出部非形成領域内に臨ませたのち、前記ねじ受け孔をガイドにして、天板部上に抜け止めねじのねじ孔形成位置を墨付けする工程を備えることを特徴としている。
このようにねじ受け孔をガイドにして天板部上に抜け止めねじのねじ孔形成位置を墨付けすることにより、ねじ孔形成位置を金尺等で測定する工程を省略することができる。
ここで、「墨付け」とは、実際に墨で印を入れる方法に限らず、各種の筆記具又は罫書き針等により印を入れる方法や、錐やドリル等でねじ下孔乃至ねじ孔そのものを開ける方法等、デッキ材にねじ孔を設ける位置に印を付ける全ての方法を含むものとする。また、「ねじ孔」とは、雌ねじの有無に限らず、ねじ受け部のねじ受け孔に対応し、ねじを挿通または螺入するためにデッキ材の天板部に設けられる孔を指すものとする。
【発明の効果】
【００１１】
本発明のデッキ材用小口キャップによれば、天板部に設けるねじ孔の位置を金尺等で測定することなく墨付けすることができるため、小口用キャップをデッキ材にねじ固定する手間を低減することができる。
【図面の簡単な説明】
【００１２】
【図１】本発明の第１の実施形態に係る小口キャップの正面図である。
【図２】図１の小口キャップの平面図である。
【図３】図１の小口キャップでデッキ材の開口面を閉鎖してねじ止めする様子を示す説明図である。
【図４】図１の小口キャップを用いて天板部にねじ下孔を設ける様子を示す説明図である。
【図５】図４のＡ−Ａ線断面図である。
【図６】本発明の第２の実施形態に係る小口キャップでデッキ材の開口面を閉鎖した状態を示す断面図である。
【図７】本発明の第３の実施形態に係る小口キャップでデッキ材の開口面を閉鎖した状態を示す断面図である。
【発明を実施するための形態】
【００１３】
以下、本発明のデッキ材用小口キャップの実施形態を表す図面に基づいて本発明について説明する。尚、本発明は、下記の実施形態に限られるものではない。
【００１４】
図１及び図２は、本発明の第１の実施形態に係る小口キャップであり、この小口キャップ１は、図３に示すように、デッキ材２の天板部３と底板部４の間に設けられた中空部５ａ，５ｂ，５ｃが開口する小口面６を閉鎖するために用いられる。
【００１５】
小口キャップ１は、樹脂を射出成形することにより得られ、図１及び図２に示すように蓋部１１と、突出部としてのねじ受け部１３と、突出部のズレ防止部としてのＵ字部１４と、棒状部１５とから構成されている。尚、後述するように、本実施形態では、ねじ受け部１３は、ズレ防止部を兼ねている。
小口キャップ１に用いられる樹脂としては、特に限定されないが、ＡＢＳ樹脂（アクリロニトリル‐ブタジエン‐スチレン共重合体）、ＡＥＳ樹脂（アクリロニトリル‐エチレン‐スチレン共重合体）、ＡＳＡ樹脂（アクリロニトリル‐スチレン‐アクリル酸共重合体）等が挙げられ、ＡＥＳ樹脂、ＡＳＡ樹脂が好ましい。
【００１６】
図１、図３及び図４に示すように、蓋部１１は、デッキ材２の小口面６と縦横の長さを概ね同じくする矩形の平板状であり、小口面６に当接して中空部５ａ、５ｂ、５ｃを閉鎖するデッキ材当接面１２を備え、図２に示すように、デッキ材当接面１２と反対側の面の外周角部にはテーパー状の面取りが施されている。
【００１７】
図１〜図５に示すように、ねじ受け部１３は、デッキ材当接面１２に垂設され、デッキ材当接面１２に平行な断面がＵ字の上下を逆にした形状を有している。ねじ受け部１３は、デッキ材当接面１２の左右に各１個設けられており、デッキ材２の３つの中空部５ａ，５ｂ，５ｃのうち左右両端の中空部５ａ，５ｃにそれぞれ入り込むよう設けられている。各ねじ受け部１３の水平部（上下逆にしたＵ字の中央辺部分）１３ａには、ねじ受け孔１６が設けられている。
【００１８】
図３に示すように、ねじ受け孔１６には、天板部３を貫通してねじ込まれる抜け止めねじ７が螺入される。抜け止めねじ７は、頭部が皿状のタッピングねじである。ねじ受け孔１６は、抜け止めねじ７のねじ部外径よりも、やや内径が小さくなるよう設けられている。
【００１９】
図１、図３、図４に示すように、ズレ防止部は、ねじ受け部１３と、Ｕ字部１４と、計８個の棒状部１５，…とからなる。Ｕ字部１４は、ねじ受け部１３と上下対称の形状を有し、左右のねじ受け部１３，１３に対応して、左右に各１個配設されている。
図２に示すように、棒状部１５は、ねじ受け部１３（又はＵ字部１４）の略半分の突出高さを有する。図１、図３及び図４に示すように、棒状部１５は、後述する突出部非形成領域１１ａの上に隣接して４個が水平に並べられ、そのうち両端の２個は、左右のねじ受け部１３，１３の外側方部に、中央の２個は、左右のねじ受け部１３，１３の間に配設されている。
突出部非形成領域１１ａを挟んで、この上側４個の棒状部１５，…と上下対称に、下側４個の棒状部１５，…が設けられている。
【００２０】
図３に示すようにねじ受け部１３、Ｕ字部１４及び棒状部１５は、蓋部１１が小口面６を閉鎖する際に、中空部内に入り込むよう構成されている。
左右のねじ受け部１３，１３及びＵ字部１４，１４は、左右の中空部５ａ，５ｃにそれぞれ入り込み、ねじ受け部１３の水平部１３ａは、天板部３の下面に、Ｕ字部１４の水平部１４ａは、底板部４の上面にそれぞれ当接し、小口キャップ１が上下方向に位置ずれするのを防止するよう構成されている。
左端の棒状部１５，１５は、左側の中空部５ａの左の側壁面に当接し、右端の棒状部１５，１５は、右の中空部５ｃの右の側壁面に当接し、中央の４個の棒状部１５，…が中央の中空部５ｂの左右の側壁面に各２個ずつ当接して、蓋１１の水平方向の位置ずれを防ぐよう構成されている。
【００２１】
図１、図３及び図４に示すように、蓋部１１のデッキ材当接面１２には、ねじ受け部１３の下側に隣接して、水平方向の全長にわたり天板部３の厚みと略同じ幅を有する帯条の突出部非形成領域１１ａが設けられている。換言すると、突出部を構成するねじ受け部１３、Ｕ字部１４、及び棒状部１５は、突出部非形成領域１１ａを避けて、その上側又は下側の領域に設けられている。詳細には、突出部非形成領域１１ａの上側にねじ受け部１３及び棒状部１５，…の上側の４個が設けられており、突出部非形成領域１１ａの下側に、Ｕ字部１４及び棒状部１５，…の下側の４個が設けられている。
【００２２】
次に、本実施形態の小口キャップ１を用いて、デッキ材２の天板部３に設けられるねじ孔８の下孔８０（以下ねじ下孔８０という）を設け、小口キャップ１をデッキ材２にねじ固定する手順について説明する。
図４及び図５に示すように、小口キャップ１の突出部非形成領域１１ａにデッキ材２の天板部３を挿入する。左右のＵ字部１４，１４を、それぞれ左右の中空部５ａ，５ｃに挿入する。突出部の各部が、この突出部非形成領域１１ａを外して設けられていることにより、突出部非形成領域１１ａに天板部３を挿入した際に、図５に示すように、小口面６をデッキ材当接面１２に当接することができる。
このため、キャップ１で小口面６を閉鎖した状態と、天板部３をデッキ材当接面１２に当接するまで突出部非形成領域１１ａに臨ませた状態とで、ねじ受け孔１６の小口面６からの距離が等しくなる。こうして、天板部３上において、小口面６からの距離が、ねじ受け孔１６とデッキ材当接面１２との距離に等しい位置に、ねじ受け孔１６をガイド孔として配設することができる。
【００２３】
天板部３にねじ下孔８０を設ける際に、突出部非形成領域１１ａに天板部３を挿入すると突出部非形成領域１１ａの幅が、天板部３の厚みと略同じに設けられているため、ねじ受け部１３の下端とＵ字部１４の上端とが、天板部３に上下から当接して、蓋部１１がデッキ材２に対して傾くことを防止する。
また、左右両端の下側に位置する棒状部１５，１５は、それぞれ左右の中空部５ａ，５ｃの外側方の側壁面に当接し、下側中央に位置する２個の棒状部１５，１５は、それぞれ中空部５ｂの左右の側壁面に当接する。これにより、ねじ受け孔１６をガイド孔として天板部３上面の幅方向の正しい位置に配設することができるとともに、天板部３にねじ下孔８０を設ける際に、小口キャップ１の水平方向の位置ずれが防止される。
【００２４】
このように、突出部非形成領域１１ａに天板部３をデッキ当接面１２に当接させ、かつ小口キャップ１の左右の位置ずれや傾きを防止した状態で、左右のねじ受け孔１６，１６をガイドとして、天板部３に設ける左右のねじ下孔８０，８０の位置を墨付けしたのち、錐や電気ドリルでねじ下孔８０，８０を穿設する。
【００２５】
図３に示すように、ねじ下孔８０は、抜け止めねじ７のねじ部の外径よりやや小さい内径で設けられ、また、ねじ下孔８０の天板部３側の開口部には、抜け止めねじ７の皿状の頭部を納めるため、下方に向かってテーパー状に縮径する座ぐり部８ａが設けられる。
【００２６】
ねじ下孔８０，８０を穿設した後、図３に示すように、小口キャップ１で小口面６を閉鎖する。そして、左右のねじ下孔８０，８０及びねじ受け孔１６，１６に、抜け止めねじ７，７をねじ込む。このとき、タッピングねじである抜け止めねじ７，７のねじ山がねじ下孔８０，８０及びねじ受け孔１６，１６の内壁に食い込んで、抜け止めねじ７，７が小口キャップ１とデッキ材２とを固定する。ねじ下孔８０の内壁には、雌ねじが螺刻されて、ねじ下孔８０は、ねじ孔８となる。抜け止めネジ７，７が左右の２か所で、小口キャップ１をデッキ材２にねじ固定することで、蓋部１１の左右の端部が反り返る等して、小口面６から離間することを抑制することができる。
【００２７】
本実施形態の小口キャップ１は、上記の構成を有するため、ねじ受け孔１６を、天板部３にねじ下孔８０の位置を墨付けするためのガイドとして用いることができ、この際、ねじ受け孔１６が傾いたり水平方向に位置ずれを起こさないようねじ受け部１３やズレ防止部が構成されているので、速やかにねじ下孔８０の位置を墨付けすることができる。
【００２８】
次に本発明の他の実施形態について説明する。尚、以下の実施形態において第１の実施形態と構成が共通するものは同一符号を付して説明を省略する。
図６は、本発明の第２の実施形態を示したものである。この実施形態では、突出部は、平板状のねじ受け部１１３と扁平のＵ字形状を有するズレ防止部１１４とからなり、ねじ受け部１１３の上面を天板部３の下面に当接させ、ズレ防止部１１４の下面を底板部４の上面に当接させて、蓋部１１の上下方向のズレを防止し、ズレ防止部１１４の左右の端面を中空部５ａ，５ｃの左右の側面に当接させて、蓋部１１の左右のズレを防止する。第２の実施形態では、ねじ受け部１１３とズレ防止部１１４の間に突出部非形成領域１１１ａが設けられている。
【００２９】
図７は、本発明の第３の実施形態を示したものである。この実施形態に係る小口キャップ２０１は、４個の中空部２０５ａ、２０５ｂ，２０５ｃ，２０５ｄを備えるデッキ材２０２に用いられる。小口キャップ２０１は、デッキ材当接面１２に平行な断面が扁平のＵ字を上下逆にした形状を有するねじ受け部２１３と、左右一対の棒状のズレ防止部２１４，２１４とからなる。ねじ受け部２１３の左右の端面が中空部２０５ａ，２０５ｄの左右の側壁面に当接し、左右一対のズレ防止部２１４，２１４が中空部２０５ａ，２０５ｄの下側の左右角部にそれぞれ当接して、蓋部１１の水平方向及び上下方向の位置ずれを防止するよう構成されている。第３の実施形態では、ねじ受け部２１３とズレ防止部２１４の間に突出部非形成領域２１１ａが設けられている。
【００３０】
第２及び第３の実施形態のように、突出部の形状を簡素化することで、小口キャップを成型する金型の構造を簡素化することができ、金型の製造コストを抑制することができるとともに、小口キャップに用いられる樹脂の量を低減することができる。
尚、第２及び第３の実施形態においてもねじ止め部がズレ防止部を兼ねている。
【００３１】
本発明の小口キャップは上記の実施形態に限られず、例えば、中空孔が２個以下又は５個以上のデッキ材にも好適に採用することができる。また、ねじ受け部を１個又は３個以上設けてもよい。小口キャップの材質を金属や木材とすることもできるし、蓋部と突出部を別途形成して接合することもできる。ねじ受け孔を予め設けておくのではなく、施工現場において設けてもよい。
【産業上の利用可能性】
【００３２】
本発明の、デッキ材用小口キャップは、デッキ材の天板部に設けるねじ孔の位置を金尺等で測定することなく墨付けしてねじ孔を設けることができ、デッキ材にねじ孔を設ける手間を低減することができるので、中空孔を備える各種デッキ材に好適に採用することができる。
【符号の説明】
【００３３】
１  小口キャップ
２  デッキ材
３  天板部
４  底板部
５ａ  中空部
５ｂ  中空部
５ｃ  中空部
６  小口面
７  抜け止めねじ
８  ねじ孔
１１  蓋部
１１ａ  突出部非形成領域
１２  デッキ材当接面
１３  ねじ受け部（突出部）
１４  Ｕ字部（突出部のズレ防止部）
１５  棒状部（突出部のズレ防止部）
１６  ねじ受け孔
１１１ａ  突出部非形成領域
１１３  ねじ受け部（突出部）
１１４  ズレ防止部（突出部）
２０１  小口キャップ
２０２  デッキ材
２０５ａ  中空部
２０５ｂ  中空部
２０５ｃ  中空部
２０５ｄ  中空部
２１１ａ  突出部非形成領域
２１３  ねじ受け部（突出部）
２１４  ズレ防止部（突出部）
【図１】
0005629230.tif 000002
【図２】
0005629230.tif 000003
【図３】
0005629230.tif 000004
【図４】
0005629230.tif 000005
【図５】
0005629230.tif 000006
【図６】
0005629230.tif 000007
【図７】
0005629230.tif 000008